(57)【要約】【課題】  塵埃や湿気等から光ファイバの接続部を保護するとともに、施工現場における作業性の向上を図る。【解決手段】  正面に開口部を有する主ケース１０と、この主ケース１０の正面開口部に装着される副ケース２０とで外部筐体を構成する。さらに、機器側光ファイバの一端に設けられたコネクタが接続されるコネクタ接続部２１２３１を有する光ファイバアダプタ３０と、光ファイバアダプタ３０が装着されるとともに、主ケース１０の内側に装着される保持部材５０とを備える。保持部材５０と光ファイバアダプタ３０の相互間には、嵌め込み操作をもって係合する嵌合溝５１と嵌合凸部３２からなる第１係合部を設け、この第１係合部を介して光ファイバアダプタ３０を保持部材５０に装着する。【選択図】      図１
2006091819.tif 000002
【特許請求の範囲】
【請求項１】
宅内の壁面等に施設され、宅内配線に用いられる幹線側光ファイバを、宅内に置かれた光ファイバ接続機器から延びる機器側光ファイバと光学的に接続する光コンセントであって、
正面に開口部を有する主ケースと、この主ケースの正面開口部に装着される副ケースとを含む外部筐体と、
前記幹線側光ファイバと前記機器側光ファイバとをそれぞれ接続する光ファイバ接続部材と、
前記光ファイバ接続部材が装着されるとともに、前記主ケースの内側に装着される保持部材と、を備えたことを特徴とする光コンセント。
【請求項２】
前記保持部材と光ファイバ接続部材の相互間に第１係合部を設け、この第１係合部を介して前記光ファイバ接続部材が前記保持部材に装着されることを特徴とする請求項１の光コンセント。
【請求項３】
前記第１係合部は、前記保持部材と光ファイバ接続部材のうち、いずれか一方に形成された蟻溝状の嵌合溝と、他方に形成され前記嵌合溝にスライド嵌合する嵌合凸部とで構成されていることを特徴とする請求項２の光コンセント。
【請求項４】
前記第１係合部は、前記保持部材と光ファイバ接続部材のうち、いずれか一方に形成された係止溝と、他方に形成され前記係止溝に係合する係合脚部とで構成されていることを特徴とする請求項２の光コンセント。
【請求項５】
前記主ケースと保持部材の相互間に、嵌め込み操作をもって係合する第２係合部を設け、この第２係合部を介して前記保持部材が前記主ケースに装着されることを特徴とする請求項１乃至４のいずれか一項に記載の光コンセント。
【請求項６】
前記第２係合部は、前記主ケースと保持部材のうち、いずれか一方に形成された係止爪と、他方に形成され前記係止爪と弾力的に係合する係合片とで構成されていることを特徴とする請求項５の光コンセント。
【請求項７】
前記保持部材は、前記外部筐体の内部で前記幹線側光ファイバを案内支持する湾曲形状のガイド部を有することを特徴とする請求項１乃至６のいずれか一項に記載の光コンセント。
【請求項８】
前記保持部材は、前記主ケースに組み付けられて一体化しており、且つ、前記主ケースに対し回動自在であることを特徴とする請求項１乃至７のいずれか一項に記載の光コンセント。
【請求項９】
前記外部筐体の内部で前記幹線側光ファイバを案内支持するガイド部材を含み、
前記保持部材には、このガイド部材も装着されることを特徴とする請求項１乃至６のいずれか一項に記載の光コンセント。
【請求項１０】
前記ガイド部材は、前記幹線側光ファイバが巻き付けられる円筒状のガイド本体と、このガイド本体の両端面から突き出した装着軸とを有し、
前記保持部材には、前記装着軸が嵌め込まれる軸受部が形成されていることを特徴とする請求項９の光コンセント。
【請求項１１】
前記主ケースの背面に、前記幹線側光ファイバの挿通口を有するとともに、この挿通口から引き出される幹線側光ファイバと当該挿通口との間の隙間を閉塞するシール部材を備えたことを特徴とする請求項１乃至１０のいずれか一項に記載の光コンセント。
【請求項１２】
前記保持部材は、前記シール部材を着脱自在に装着可能な仮保持部を備えることを特徴とする請求項１１の光コンセント。
【請求項１３】
前記主ケースには、前記挿通口に連続して前記シール部材の配置部が形成してあり、
前記保持部材には、前記配置部に配置された前記シール部材を押圧して保持する押圧部が形成してあり、
当該押圧部によって前記配置部へ押圧保持されたシール部材が、前記挿通口に接して当該挿通口を閉塞する構成としたことを特徴とする請求項１１又は１２の光コンセント。
【請求項１４】
前記主ケースには、前記挿通口に連続して切欠部が形成されており、当該切欠部は、前記幹線側光ファイバに装着された光ファイバコネクタを挿通可能であることを特徴とする請求項１乃至１３のいずれか一項に記載の光コンセント。
【請求項１５】
前記保持部材には、前記切欠部を閉塞する背面蓋部が形成されていることを特徴とする請求項１４の光コンセント。
【請求項１６】
前記主ケースは、透明プラスチック材料で形成してあり、前記配置部への前記シール部材の配置状態を外部から視認可能であることを特徴とする請求項１３乃至１５のいずれか一項に記載の光コンセント。
【請求項１７】
一端が雄型光ファイバコネクタによりあらかじめ成端処理された機器側および幹線側の各光ファイバとを光学的に接続する請求項１乃至１６のいずれか一項に記載の光コンセントにおいて、
前記光ファイバ接続部材を、前記各雄型光ファイバコネクタを互いに対向する方向から差し込み接続可能な光ファイバアダプタで構成したことを特徴とする光コンセント。
【請求項１８】
一端が雄型光ファイバコネクタによりあらかじめ成端処理された機器側光ファイバと、幹線側光ファイバとを光学的に接続する請求項１乃至１６のいずれか一項に記載の光コンセントにおいて、
前記幹線側光ファイバの一端を雌型光ファイバコネクタによりあらかじめ成端処理するとともに、当該雌型光ファイバコネクタにより前記光ファイバ接続部材を構成したことを特徴とする光コンセント。
【請求項１９】
宅内の壁面等に施設され、宅内配線に用いられる幹線側光ファイバを、宅内に置かれた光ファイバ接続機器から延びる機器側光ファイバと光学的に接続する光コンセントであって、
正面に開口部を有する主ケースと、この主ケースの正面開口部に装着される副ケースと、前記主ケースの背面に装着される背面ケースとを含む外部筐体と、
前記幹線側光ファイバと前記機器側光ファイバとをそれぞれ接続する光ファイバ接続部材と、
前記光ファイバ接続部材が装着されるとともに、前記主ケースの内側に装着される保持部材と、を備えたことを特徴とする光コンセント。
【請求項２０】
前記光ファイバ接続部材は、前記幹線側光ファイバを接続する任意長さの接続用光ファイバが延出する光ファイバジャックにより構成してあることを特徴とする請求項１９の光コンセント。
【請求項２１】
前記主ケースは、前記接続用光ファイバを背面側に導く引出口を有し、  前記背面ケースは、前記引出口を覆うように前記主ケースの背面に装着されるとともに、前記幹線側光ファイバの挿通口を有し、
更に、前記挿通口を通る幹線側光ファイバと当該挿通口との間の隙間を閉塞するシール部材を備えたことを特徴とする請求項２０の光コンセント。
【請求項２２】
前記背面ケースには、前記挿通口に連続して前記シール部材の配置部が形成してあり、
前記主ケースの背面にも、前記配置部と対向して前記シール部材の配置部が形成してあり、
これら各配置部に挟まれるようにして配置された前記シール部材が、前記挿通口に接して当該挿通口を閉塞する構成としたことを特徴とする請求項２１の光コンセント。
【請求項２３】
前記主ケースの背面に、前記幹線側光ファイバを前記シール部材の配置部近傍で固定する幹線側光ファイバ固定手段を設けたことを特徴とする請求項２２の光コンセント。
【請求項２４】
前記主ケースは、背面に、前記接続用光ファイバおよび前記幹線側光ファイバの余長部分を巻き付けて保持可能な余長巻付け部が形成されていることを特徴とする請求項２０乃至２３のいずれか一項に記載の光コンセント。
【請求項２５】
前記余長巻き付け部の外周壁上端部より内側へ突出させて飛出し防止爪を設けたことを特徴とする請求項２４の光コンセント。
【請求項２６】
前記接続用光ファイバと幹線側光ファイバの接続部との接続部を被覆して補強する補強スリーブを備えたことを特徴とする請求項２０乃至２５のいずれか一項に記載の光コンセント。
【請求項２７】
前記主ケースは、背面に、前記補強スリーブを収納配置するスリーブ収納部が形成されていることを特徴とする請求項２６の光コンセント。
【請求項２８】
前記スリーブ収納部に、前記補強スリーブを固定するスリーブ固定手段を設けたことを特徴とする請求項２７の光コンセント。
【請求項２９】
前記保持部材は、前記外部筐体の内部で前記接続用光ファイバを案内支持する湾曲形状のガイド部を有することを特徴とする請求項２０乃至２８のいずれか一項に記載の光コンセント。
【請求項３０】
前記保持部材は、前記主ケースに組み付けられて一体化しており、且つ、前記主ケースに対し回動自在であることを特徴とする請求項２０乃至２９のいずれか一項に記載の光コンセント。
【請求項３１】
前記外部筐体は、スイッチやコンセント等の配線器具が装着される規格化された配線器具取付枠に装着可能な寸法に形成されるとともに、当該配線器具取付枠に係合する取付部を含むことを特徴とする請求項１乃至３０のいずれか一項に記載の光コンセント。
【発明の詳細な説明】
【技術分野】
【０００１】
この発明は、宅内の壁面等に施設され、宅内配線に用いられる幹線側光ファイバを、宅内に置かれた光ファイバ接続機器から延びる機器側光ファイバと光学的に接続するための光コンセントに関する。
【背景技術】
【０００２】
光通信技術の発展にともない、一般住宅においても、光ファイバケーブル（以下、単に「光ファイバ」ということもある）を用いたＬＡＮ回線などの施設を、新築に際し要望されるユーザが多くなってきている。
また、超高速インターネット接続技術の発展にともない、一般住宅においても、アクセス回線として光ファイバケーブル（以下、単に「光ファイバ」ということもある）を利用したインターネット接続サービス、いわゆるＦＴＴＨ(Fiber To The Home)の導入が進みつつある。
光ファイバ宅内配線の一般住宅への普及推進には、宅内の各部屋で容易に光ファイバを接続できる屋内配線器具（すなわち、光コンセント）の開発が欠かせない。
【０００３】
このような状況のもと、近年、各種構造の光コンセントが提案されている（例えば、特許文献１，２参照）。しかしながら、これら従来の光コンセントは、いずれも実際の施設場所において生じうる様々な問題が充分に検討されていない。
【０００４】
例えば、光ファイバの接続部は、中継ジャック型光コネクタ、光アダプタ、光レセプタクル等と称される中継アダプタによって構成されているが、この中継アダプタの内部に塵埃や湿気が進入すると、光ファイバの情報伝達機能が損なわれてしまうおそれがある。ところが、従来の光コンセントは、この光ファイバの接続部が裏面側（壁内側）にむき出しの構成であったり（特許文献２参照）、埋込ボックスで覆うだけの構成であった（特許文献１参照）。家屋の壁内には戸外から塵埃や湿気が入り込み易い。したがって、たとえ中継アダプタに光ファイバケーブルのコネクタを差し込んだ状態にあっても、中継アダプタとコネクタとの間の僅かな隙間から壁内の塵埃や湿気が進入し、光ファイバの情報伝達機能を損なうおそれがあった。
【０００５】
さらに、光コンセントによって接続される光ファイバは、一般の屋内配線に用いられる電気ケーブルに比べてきわめてデリケートな部品であるため、慎重に取り扱う必要があるものの、施工時の作業性が考慮されているものは少ない。施工時の作業性が悪いと、光ファイバの先端面を傷つけてしまったり、無理に曲げ応力をかけて損傷させてしまう可能性が高くなる。
【特許文献１】特開昭６３−２５７７０１号公報
【特許文献２】特開平１−２９７６０４号公報
【発明の開示】
【発明が解決しようとする課題】
【０００６】
本発明は、上述した事情に鑑みてなされたもので、塵埃や湿気等から光ファイバの接続部を保護するとともに、施工現場における作業性の向上を図ることを目的とする。
【課題を解決するための手段】
【０００７】
上記目的を達成するために、本発明は、宅内の壁面等に施設され、宅内配線に用いられる幹線側光ファイバを、宅内に置かれた光ファイバ接続機器から延びる機器側光ファイバと光学的に接続する光コンセントであって、
正面に開口部を有する主ケースと、この主ケースの正面開口部に装着される副ケースとで構成された外部筐体と、
幹線側光ファイバと機器側光ファイバとをそれぞれ接続する光ファイバ接続部材と、
光ファイバ接続部材が装着されるとともに、主ケースの内側に装着される保持部材と、を備えたことを特徴とする。
【０００８】
上記構成の本発明は、主ケースと副ケースとで構成された外部筐体の内部に、光ファイバ接続部材を収納するので、塵埃や湿気など光ファイバの情報伝達機能に悪影響を及ぼす要因から光ファイバの接続部を保護することができる。
【０００９】
さらに、本発明は、保持部材と光ファイバ接続部材の相互間に第１係合部を設け、この第１係合部を介して光ファイバ接続部材が保持部材に装着されることを特徴とする。
例えば、第１係合部は、保持部材と光ファイバ接続部材のうち、いずれか一方に形成された蟻溝状の嵌合溝と、他方に形成され嵌合溝にスライド嵌合する嵌合凸部とで構成することができる。
また、第１係合部は、保持部材と光ファイバ接続部材のうち、いずれか一方に形成された係止溝と、他方に形成され係止溝に係合する係合脚部とで構成することもできる。
これにより、工具を必要とせず簡単な嵌め込み操作だけで、光ファイバ接続部材を保持部材に装着でき、施工現場での作業性がきわめて良好となる。
【００１０】
さらに、本発明は、主ケースと保持部材の相互間に、嵌め込み操作をもって係合する第２係合部を設け、この第２係合部を介して保持部材が主ケースに装着されることを特徴とする。  例えば、第２係合部は、主ケースと保持部材のうち、いずれか一方に形成された係止爪と、他方に形成され係止爪と弾力的に係合する係合片とで構成することができる。
これにより、工具を必要とせず簡単な嵌め込み操作だけで、保持部材を主ケースに装着でき、施工現場での作業性がいっそう良好となる。
【００１１】
本発明は、外部筐体の内部で幹線側光ファイバを案内支持するガイド部材を含み、
保持部材には、このガイド部材も装着される構成としてもよい。
ここで、ガイド部材は、幹線側光ファイバが巻き付けられる円筒状のガイド本体と、このガイド本体の両端面から突き出した装着軸とを有する構成とし、一方、保持部材には、装着軸が嵌め込まれる軸受部を形成する。
このように構成すれば、工具を必要とせず、ガイド部材の装着軸を保持部材の軸受部に嵌め込むだけの簡単な操作で、ガイド部材を保持部材に装着でき、施工現場での作業性がきわめて良好となる。
【００１２】
また、保持部材は、外部筐体の内部で幹線側光ファイバを案内支持する湾曲形状のガイド部を有する構成としてもよい。
このように構成すれば、部品点数が減り、さらに上記のごとくガイド部材を保持部材へ装着する作業も必要なくなり、いっそう施工現場での作業性が向上する。
【００１３】
なお、上記ガイド部材やガイド部は、幹線側の光ファイバが、無理に曲げ応力の作用によって許容範囲以上に折れ曲がってしまう事態を回避する機能を有している。
【００１４】
保持部材は、主ケースに組み付け一体化するとともに、主ケースに対し回動自在な構成とすることもできる。このように構成することで、構成部品のばらつきに伴う組み立て作業の煩雑さを解消し、施工現場での取り扱いが容易となる。
【００１５】
本発明は、主ケースの背面に、幹線側光ファイバの挿通口を有するとともに、この挿通口から引き出される幹線側光ファイバと当該挿通口との間の隙間を閉塞するシール部材を備えた構成とすることもできる。
このように構成することで、挿通口から外部筐体内への塵埃や湿気の侵入を遮断することができる。
【００１６】
ここで、本発明は、主ケースに、挿通口に連続してシール部材の配置部を形成するとともに、保持部材に、配置部に配置されたシール部材を押圧して保持する押圧部を形成し、当該押圧部によって配置部へ押圧保持されたシール部材が、挿通口に接して当該挿通口を閉塞する構成とすることもできる。
【００１７】
さらに、主ケースには、挿通口に連続して切欠部を形成し、当該切欠部から幹線側光ファイバに装着された光ファイバコネクタを挿通可能とすることもできる。この場合、保持部材には、切欠部を閉塞する背面蓋部を形成することが好ましい。
切欠部を形成することで、幹線側光ファイバの一端を光ファイバコネクタにより成端処理した後、当該コネクタを切欠部を通して、主ケースの背面側から内側へ導き入れ、光ファイバ接続部材に接続することが可能となる。
【００１８】
なお、主ケースを透明プラスチック材料で形成すれば、配置部へのシール部材の配置状態を外部から視認可能となる。
また、保持部材に、シール部材を着脱自在に装着可能な仮保持部を設け、工場出荷時にこの仮保持部へシール部材を装着しておけば、微細部品であるシール部材の搬送中や現場での紛失を防止することができる。
【００１９】
本発明の光コンセントによれば、一端が雄型光ファイバコネクタによりあらかじめ成端処理された機器側および幹線側の各光ファイバとを光学的に接続することが可能である。
この場合は、光ファイバ接続部材は、各雄型光ファイバコネクタを互いに対向する方向から差し込み接続可能な光ファイバアダプタで構成することが好ましい。
【００２０】
また、本発明の光コンセントによれば、一端が雄型光ファイバコネクタによりあらかじめ成端処理された機器側光ファイバと、幹線側光ファイバとを光学的に接続することも可能である。
この場合は、幹線側光ファイバの一端を雌型光ファイバコネクタによりあらかじめ成端処理するとともに、当該雌型光ファイバコネクタにより光ファイバ接続部材を構成することが好ましい。
【００２１】
本発明は、宅内の壁面等に施設され、宅内配線に用いられる幹線側光ファイバを、宅内に置かれた光ファイバ接続機器から延びる機器側光ファイバと光学的に接続する光コンセントであって、
正面に開口部を有する主ケースと、この主ケースの正面開口部に装着される副ケースと、主ケースの背面に装着される背面ケースとを含む外部筐体と、
幹線側光ファイバと機器側光ファイバとをそれぞれ接続する光ファイバ接続部材と、
光ファイバ接続部材が装着されるとともに、主ケースの内側に装着される保持部材と、を備えた構成とすることもできる。
【００２２】
かかる構成であっても、主ケース、副ケースおよび背面ケースで構成された外部筐体の内部に、光ファイバ接続部材を収納するので、塵埃や湿気など光ファイバの情報伝達機能に悪影響を及ぼす要因から光ファイバの接続部を保護することができる。
【００２３】
ここで、光ファイバ接続部材は、幹線側光ファイバを接続する任意長さの接続用光ファイバが延出する光ファイバジャックにより構成することができる。
【００２４】
その場合、主ケースは、接続用光ファイバを背面側に導く引出口を有し、背面ケースは、引出口を覆うように主ケースの背面に装着されるとともに、幹線側光ファイバの挿通口を有し、更に、挿通口を通る幹線側光ファイバと当該挿通口との間の隙間を閉塞するシール部材を備えることが好ましい。
このように構成することで、挿通口から外部筐体内への塵埃や湿気の侵入を遮断することができる。
【００２５】
また、背面ケースには、挿通口に連続してシール部材の配置部を形成し、主ケースの背面にも、配置部と対向してシール部材の配置部を形成し、これら各配置部に挟まれるようにして配置されたシール部材が、挿通口に接して当該挿通口を閉塞する構成とすることが好ましい。
これにより、シール部材の位置決めを容易に行うことができ、しかもシール部材の位置ずれを防止することができる。
【００２６】
さらに、主ケースの背面には、幹線側光ファイバをシール部材の配置部近傍で固定する幹線側光ファイバ固定手段を設けることができる。また、主ケースには、背面に、接続用光ファイバおよび幹線側光ファイバの余長部分を巻き付けて保持可能な余長巻付け部を形成することができる。
かかる構成により、接続用光ファイバおよび幹線側光ファイバの余長処理を容易に行うことができる。
なお、余長巻き付け部と対向してその外周には、飛出し防止爪を設けることが好ましい。
【００２７】
また、本発明の光コンセントには、接続用光ファイバと幹線側光ファイバの接続部との接続部を被覆して補強する補強スリーブを備えることが好ましい。
この場合、主ケースには、背面に、補強スリーブを収納配置するスリーブ収納部を形成する。さらに、スリーブ収納部には、補強スリーブを固定するスリーブ固定手段を設けることが好ましい。
【００２８】
また、保持部材は、外部筐体の内部で接続用光ファイバを案内支持する湾曲形状のガイド部を有する構成としてもよい。
このように構成すれば、部品点数が減り、さらに上記のごとくガイド部材を保持部材へ装着する作業も必要なくなり、いっそう施工現場での作業性が向上する。
なお、上記ガイド部は、幹線側の光ファイバが、無理に曲げ応力の作用によって許容範囲以上に折れ曲がってしまう事態を回避する機能を有している。
【００２９】
保持部材は、主ケースに組み付け一体化するとともに、主ケースに対し回動自在な構成とすることもできる。このように構成することで、構成部品のばらつきに伴う組み立て作業の煩雑さを解消し、施工現場での取り扱いが容易となる。
【００３０】
上述した本発明の光コンセントは、外部筐体を、スイッチやコンセント等の配線器具が装着される規格化された配線器具取付枠に装着可能な寸法に形成するとともに、当該配線器具取付枠に係合する取付部を含む構成とすることができる。
このように構成することで、スイッチやコンセント等の配線器具と同様に、既存の規格化された配線器具取付枠を用いて、光コンセントを宅内の壁面等に施設することができる。
なお、配線器具取付枠の基本的な寸法形状等は、例えば、日本工業規格（ＪＩＳ）に規格化されている。
【発明の効果】
【００３１】
以上説明したように、本発明によれば、塵埃や湿気等から光ファイバの接続部を保護するとともに、施工現場における作業性の向上を図ることができる。
【発明を実施するための最良の形態】
【００３２】
以下、この発明の実施の形態について図面を参照して詳細に説明する。
《第１の実施形態》
図１乃至図１０は本発明の第１の実施形態に係る光コンセントの構成を示す図であり、図１は各部品を組み込んだ完成状態を示し、図２は各部品を分解した状態を示し、図３は光コンセントの宅内壁面への施設状況を示している。図４乃至図１０はそれぞれ光コンセントの各部品を示している。
【００３３】
本実施形態の光コンセントは、図２に示すように、主ケース１０、副ケース２０（カバーともいう）、光ファイバアダプタ３０（光ファイバ接続部材）、ガイド部材４０、保持部材５０の各部品で主要部が構成されている。
【００３４】
主ケース１０と副ケース２０は、光コンセントの外部筐体を構成する部品である。主ケース１０は、図４に示すように、正面が開口しており、この正面開口部から他の部品（保持部材５０等）が内部側に組み込まれる。主ケース１０の外側面には、複数の係止爪１１が形成されている。
副ケース２０は、図５に示すように、背面が開口しており、この背面開口部の周縁から複数の係合片２１が突き出して形成されている。これらの係合片２１は、平面中央部分に切欠孔２１ａを有し、しかも弾力的に撓むことができる。
副ケース２０は、背面開口部を主ケース１０の正面開口部に合わせるようにして主ケース１０に装着される。このとき、副ケース２０の各係合片２１に形成した切欠孔２１ａの縁部が、主ケース１０の係止爪１１に係合して、主ケース１０と副ケース２０が一体化する。これにより箱形の外部筐体が構成される。
光ファイバアダプタ３０、ガイド部材４０および保持部材５０は、これら主ケース１０と副ケース２０で構成された外部筐体の内部に組み込まれる。
【００３５】
主ケース１０の背面側には、幹線側光ファイバ６２を挿通する挿通口１２が形成されている。一方、副ケース２０の正面側には、機器側光ファイバ７０の差込口２２が形成されている。
ここで、「幹線側光ファイバ」とは、宅内配線に用いられる光ファイバであり、一端がこの光コンセントの内部に配置され、他端が壁内等を引き回されて屋外の光ファイバ等と接続される。また、「機器側光ファイバ」とは、宅内の部屋に設置された光ファイバ接続機器とこの光コンセントとを繋ぐ光ファイバである。
【００３６】
本実施形態で用いる幹線側光ファイバ６２および機器側光ファイバ７０には、一端にコネクタ６３，７１が設けてある（図７参照）。それぞれのコネクタ６３，７１は、雄型光ファイバコネクタによって構成されている。雄型光ファイバコネクタには、例えば、ＳＣコネクタと称する汎用の光ファイバコネクタが適用可能である。
【００３７】
光ファイバアダプタ３０は、図６に示すように筒形の構成であり、中空部内にコネクタ接続部３１が形成されている。この光ファイバアダプタ３０は、図７に示すように、幹線側光ファイバ６２および機器側光ファイバ７０の各コネクタ６３，７１が互いに対向する方向から差し込むことができ、コネクタ接続部３１でこれら各コネクタ６３，７１を光学的に接続する光ファイバ接続部材としての機能を有している。
【００３８】
光ファイバアダプタ３０の外側背面には、図６（ｂ）（ｃ）（ｇ）に示すように、両側部が楔状をした嵌合凸部３２が形成されている。この嵌合凸部３２は、図６（ｇ）の上下方向に延びており、その背面中央部には弾力的に撓む係止爪３３が突き出して形成してある。
【００３９】
ガイド部材４０は、図８に示すように、円筒状のガイド本体４１と、このガイド本体４１の両端面中央部から突き出した装着軸４２とを備えている。ガイド本体４１の外周面は、図１に示すように、幹線側光ファイバ６２を巻き付けて案内支持する機能を有している。ガイド本体４１の外周面には、図８に示すように、円周方向にガイド溝４１ａが形成してあり、このガイド溝４１ａに沿って幹線側光ファイバ６２を巻き付けるだけで、幹線側光ファイバ６２の巻き付け作業を容易かつ適正に実施できるようになっている。
【００４０】
保持部材５０は、光ファイバアダプタ３０およびガイド部材４０を主ケース１０へ装着するための台座としての機能を有している。
この保持部材５０には、図９に示すように、箱形をした本体の正面に蟻溝状の嵌合溝５１が形成されている。嵌合溝５１は、図９（ａ）の上下方向に延びており、上端側から光ファイバアダプタ３０の嵌合凸部３２を嵌め込み、下方にスライドさせることで嵌合状態を形成することができる。これら嵌合溝５１と嵌合凸部３２は、光ファイバアダプタ３０を保持部材５０に装着するための第１係合部を構成している。
本実施形態では、図９（ａ）に示すように、２つの嵌合溝５１，５１を左右に並べて形成してあり、それぞれに光ファイバアダプタ３０が装着可能となっている。
【００４１】
嵌合溝５１の底面中央部には、切欠係合部５２が形成してある。嵌合凸部３２が嵌合溝５１にスライド嵌合したとき、この切欠係合部５２に光ファイバアダプタ３０の係止爪３３が係合して、嵌合溝５１からの嵌合凸部３２の自由な抜けを規制する（図６（ｈ）参照）。なお、切欠係合部５２は、保持部材５０の裏面に貫通しており、裏面側から係止爪３３を押し出すことで、切欠係合部５２に対する係止爪３３の係合状態を解除することができる。
【００４２】
また、保持部材５０には、図９（ａ）（ｃ）（ｄ）に示すように、本体の上面両側部から上方へ支持アーム５３が延出しており、これら支持アーム５３の上端には凹状の軸受部５４が形成されている。これら軸受部５４には、図８に示したガイド部材４０の装着軸４２が嵌め込まれる。この嵌め込み操作をもって、ガイド部材４０を保持部材５０に装着することができる。
【００４３】
さらに、保持部材５０には、外側面に複数の係止爪５５が形成されている（図９（ｃ）参照）。一方、主ケース１０の内部には、図４（ｄ）に示すように、正面側に突き出すようにして複数の係合片１３が形成されている。これらの係合片１３は、平面中央部分に切欠孔１３ａを有し、しかも弾力的に撓むことができる。
保持部材５０を、主ケース１０に設けた係合片１３に囲まれた領域に正面側から嵌め込むと、主ケース１０のの各係合片１３に形成した切欠孔１３ａの縁部が、保持部材５０の係止爪５５に弾力的に係合する。この操作をもって保持部材５０が主ケース１０に装着される。すなわち、保持部材５０の係止爪５５と、主ケース１０の係合片１３は、保持部材５０を主ケース１０に装着するための第２係合部を構成している。
【００４４】
図１０（ａ）〜（ｃ）は、副ケース２０に装着される透明窓８０を示している。副ケース２０の正面は、機器側光ファイバ７０の差込口２２付近が切り欠かれており（図５（ｄ）参照）、この切欠部に透明窓８０が取り付けられる。この透明窓８０を透して、差込口２２に差し込まれた機器側光ファイバ７０のコネクタ７１が視認できる。
【００４５】
図１０（ｄ）〜（ｆ）は、副ケース２０に装着される取付金具８１を示している。この取付金具８１は、図１（ａ）に示すように、副ケース２０の両側部に装着される。
さて、本実施形態の光コンセントは、主ケース１０と副ケース２０で構成される外部筐体が、スイッチやコンセント等の配線器具が装着される規格化された配線器具取付枠１００に装着可能な寸法形状に形成されている。
そして、取付金具８１は、上記規格化された配線器具取付枠１００に係合する取付部を有しており、この取付部を配線器具取付枠１００に係合させることで、図３に示すように、スイッチやコンセント等の配線器具と同様に、配線器具取付枠１００を介して本実施形態の光コンセント１を宅内の壁面１０１等に施設することができる。
【００４６】
次に、本実施形態の光コンセントを用いた光ファイバの宅内施工方法の一例を説明する（図１〜図３参照）。
まず、光コンセントを施設する室内壁面１０１等に取付口１０２を開ける。この取付口１０２から壁内に、幹線側光ファイバ６２を成端処理されていない一端から挿入し、壁内や床下，天井等を引き回して、建物の外壁に設置した引込用キャビネットへ導き、同キャビネットに一端を収納する。
【００４７】
次いで、幹線側光ファイバ６２の他端に設けたコネクタ６３を、光ファイバアダプタ３０に差し込むとともに、光ファイバアダプタ３０の嵌合凸部３２を保持部材５０の嵌合溝５１にスライド嵌合させて、保持部材５０へ光ファイバアダプタ３０を装着する。
続いて、ガイド部材４０のガイド本体４１に形成した外周面のガイド溝４１ａに沿って幹線側光ファイバ６２を巻き付け、さらにガイド部材４０の装着軸４２を保持部材５０の軸受部５４に嵌め込む。
これにより、光ファイバアダプタ３０とガイド部材４０が、保持部材５０に装着され、これら各部材が一体化する。この状態で、保持部材５０を主ケース１０に設けた係合片１３の内側に嵌め込むと、係合片１３に連結部材の係止爪５５が係合して、主ケース１０へ保持部材５０が装着される。
【００４８】
その後、取付金具８１を副ケース２０に装着した状態で、副ケース２０を主ケース１０の正面側に装着することにより、光コンセント１の組立作業が完了する。なお、透明窓８０は、あらかじめ副ケース２０に取り付けられている。
このように組み立てられた光コンセント１を、図３に示すように配線器具取付枠１００に装着するとともに、配線器具と同様、支持金具やビス等の締結具１０３を用いて、室内壁面１０１等に開けた取付口１０２に配線器具取付枠１００を取り付ける。このようにして、光コンセント１が室内の壁面１０１等に施設される。最後に、光コンセント１の周囲に化粧プレート１０４を装着して、施設作業が終了する（図３（ｂ）参照）。
【００４９】
《第２の実施形態》
図１１乃至図１７は本発明の第２の実施形態に係る光コンセントの構成を示す図であり、図１１は各部品を組み込んだ完成状態を示し、図１２は各部品を分解した状態を示している。図１３乃至図１７はそれぞれ光コンセントの各部品を示している。
なお、本実施形態に係る光コンセントにおいて、先に示した第１の実施形態に係る光コンセントと同一部分または相当する部分には、同一符号を付しその部分の詳細な説明は省略する。
【００５０】
本実施形態の光コンセントは、図１２に示すように、主ケース１０、副ケース２０、保持部材５０、光ファイバアダプタ３０（光ファイバ接続部材）の各部品で主要部が構成されている。
本実施形態の光コンセントでは、保持部材５０の上部に幹線側光ファイバ６２を案内支持するガイド部５６を一体形成しており、これにより部品点数の削減を図っている。
ガイド部５６は、図１５に示すように湾曲形状をした外周面を有しており、光ファイバアダプタ３０から延びる幹線側光ファイバ６２を、この外周面で案内支持して主ケース１０の背面にある挿通口１２へと導く（図１１（ｂ）参照）。
【００５１】
本実施形態では、機器側光ファイバ６２として、一般にＰＯＦと呼ばれるプラスチック製の光ファイバを用いており、同光ファイバ６２の一端に設けられたコネクタ６３と、これを接続する光ファイバアダプタ３０は、かかるＰＯＦ用の光ファイバに適合する構造となっている（図１６，図１７参照）。一般に、このＰＯＦ用光ファイバは、宅内の各部屋間や機器などを接続するＬＡＮ配線に用いられる。
なお、上記第１の実施形態で用いた機器側光ファイバは、ＦＴＴＨに適した石英系ガラス光ファイバを使用しており、同光ファイバのコネクタ６０と、これを接続する光ファイバアダプタ３０は、かかるＦＴＴＨに適した石英系ガラス光ファイバに適合する構造となっている（図６，図７参照）。
ただし、本発明は光ファイバの種類に限定されるものではなく、第１の実施形態で示した構造の光コンセントを、ＰＯＦ用の光ファイバが接続される構成とすることもでき、また第２の実施形態で示される光コンセントを、ＦＴＴＨに適した石英系ガラス光ファイバが接続される構成とすることもできる。
【００５２】
本実施形態では、図１６（ｆ）（ｇ）に示すように、光ファイバアダプタ３０の外側背部からバネ性を有する２本の係合脚部３５が突き出して設けてある。この係合脚部３５は、先端が鈎状に湾曲している。
一方、保持部材５０の正面には、図１５（ａ），図１６（ｇ）に示すように、２本の嵌合溝５１が並べて形成されている。これらの嵌合溝５１は、図１６（ａ）の上下方向に延びており、光ファイバアダプタ３０に形成した各係合脚部３５の鈎状部分を上端側から嵌め込み、下方にスライドさせることで嵌合状態を形成することができる（図１６（ｇ）参照）。
本実施形態では、これら嵌合溝５１と係合脚部３５が、光ファイバアダプタ３０を保持部材５０に装着するための第１係合部を構成している。
【００５３】
また、本実施形態では、光ファイバアダプタ３０として二芯用のものを用いている。二芯用の光ファイバアダプタ３０は、図１６（ｃ）に示すように、中空部内の２つのコネクタ接続部３１，３１が形成されており、各コネクタ接続部３１，３１にそれぞれ幹線側光ファイバ６２および機器側光ファイバ７０の各コネクタ６３，７１が互いに対向する方向から差し込み可能となっている。
幹線側光ファイバ６２には、２本の光ファイバ芯線が内蔵されている。幹線側光ファイバ６２の一端には、二芯用の雄型光ファイバコネクタによってコネクタ６３が形成されている（図１７（ａ）（ｂ）参照）。
【００５４】
さらに、本実施形態では、図１１（ｂ）に示すように、主ケース１０の背面に形成した挿通口１２の近くに、配置部１５が形成してある。配置部１５は、主ケース１０と保持部材５０の相互間に形成した凹部であり、この配置部１５に、図１７（ｃ）（ｄ）に示すような環状のシール部材９０が配設される。
シール部材９０は、ゴム等の弾力性のある材料で構成され、幹線側光ファイバ６２の外周面に外嵌した状態で、配置部１５に配設される（図１１（ｂ）参照）。シール部材９０には、図１７（ｄ）に示すように切込み９１が入れてあり、幹線側光ファイバ６２へ外嵌する際は、この切込み９１からシール部材９０を拡開して幹線側光ファイバ６２を差し込めばよい。
このシール部材９０によって、挿通口から引き出される幹線側光ファイバ６２と挿通口１２との間の隙間を閉塞し、挿通口１２から外部筐体内への塵埃や湿気の侵入を遮断することができる。
また、シール部材９０を幹線側光ファイバ６２の外周面に圧接または接着しておけば、外部から幹線側光ファイバ６２に引張り荷重が作用したとき、このシール部材９０が光ファイバアダプタ３０に対するコネクタ６３の抜止めとしても機能する。
【００５５】
次に、本実施形態の光コンセントを用いた光ファイバの宅内施工方法の一例を説明する（図１１，図１２参照）。
まず、光コンセントを施設する室内壁面等に取付口を開ける。この取付口から壁内に、幹線側光ファイバ６２を成端処理されていない一端から挿入し、壁内や床下，天井等を引き回して、各部屋間を光ＬＡＮ接続する。
【００５６】
次いで、幹線側光ファイバ６２にシール部材９０を外嵌するとともに、当該幹線側光ファイバ６２の他端に設けたコネクタ６３を、光ファイバアダプタ３０に差し込み、さらに光ファイバアダプタ３０の係合脚部３５を保持部材５０の嵌合溝５１にスライド嵌合させて、保持部材５０へ光ファイバアダプタ３０を装着する。
これにより、光ファイバアダプタ３０が保持部材５０に装着され、これら各部材が一体化する。この状態で、保持部材５０を主ケース１０に設けた係合片１３の内側に嵌め込むと、係合片１３に保持部材５０の係止爪５５が係合して、主ケース１０へ保持部材５０が装着される。
このとき、コネクタ６３から延びる幹線側光ファイバ６２は、保持部材５０に形成したガイド部５６に沿って配置して挿通口１２に導く。また、幹線側光ファイバ６２に外嵌したシール部材９０は、主ケース１０と保持部材５０の相互間に形成した配置部１５に配置しておく。
【００５７】
その後、取付金具８１を副ケース２０に装着した状態で、副ケース２０を主ケース１０の正面側に装着することにより、光コンセント１の組立作業が完了する。
このように組み立てられた光コンセントを、配線器具取付枠に装着するとともに、配線器具と同様、支持金具やビス等の締結具を用いて、室内壁面等に開けた取付口に配線器具取付枠を取り付ける。このようにして、光コンセントが室内の壁面に施設される。最後に、光コンセントの周囲に化粧プレート１０４を装着して、施設作業が終了する。
【００５８】
《第３の実施形態》
図１９（ａ）乃至（ｅ）は本発明の第３の実施形態に係る光コンセントの全体構成を示す図、図２０（ａ）乃至（ｃ）および図２１（ａ）（ｂ）は組立順序に沿って同光コンセントの構成を示す図である。
なお、本実施形態に係る光コンセントにおいて、先に示した第１，第２の実施形態に係る光コンセントと同一部分または相当する部分には、同一符号を付しその部分の詳細な説明は省略することもある。
【００５９】
本実施形態の光コンセントは、主ケース１０、副ケース２０（カバーともいう）、光ファイバアダプタ３０（光ファイバ接続部材）、保持部材５０の各部品で主要部が構成されている。
【００６０】
主ケース１０と副ケース２０は、光コンセントの外部筐体を構成する部品である。
主ケース１０は正面が開口しており（例えば、図２０（ａ）参照）、この正面開口部１０ａに副ケース２０が装着される（図１９（ｄ）参照）。この主ケース１０は、透明なプラスチック材料で形成してある。
【００６１】
主ケース１０の周面には、複数の係止爪１１が形成してあり、一方、副ケース２０の周縁からは複数の係合片２１が延出している。そして、これら係合片２１と係止爪１１との係合によって、主ケース１０に副ケース２０が装着される。
【００６２】
主ケース１０の背面には、幹線側光ファイバ６２を挿通するための挿通口１２が形成してある（図１９（ｄ）参照）。本実施形態では、この挿通口１２に連続してコネクタ挿通用の切欠部１６も形成されている。この切欠部１６は、幹線側光ファイバ６２の先端に取り付けられたコネクタ６３を、主ケース１０の背面側から内部へ導き入れるための開口である。
【００６３】
さらに、主ケース１０の内側背面部には、挿通口１２から連続して、シール部材９０の配置部１５が起立壁に囲まれるようにして形成してある。本実施形態に係る光コンセントは、図２０（ｄ）（ｅ）示す構成をしたシール部材９０を備えている。シール部材９０は、ゴム等の弾力性のある材料で構成してある。このシール部材９０は、図１９（ｄ）示すように、幹線側光ファイバ６２に外嵌された状態で、上記配置部１５に配置される。配置部１５に配置されたシール部材９０は挿通口１２に接し、これにより挿通口１２が閉塞される。
【００６４】
ここで、主ケース１０の内側背面には、後述する保持部材５０の回動操作に伴い、幹線側光ファイバ６２に装着されたシール部材９０を、上記配置部１５へ案内するガイド壁１７が形成してある（図２０（ａ）（ｂ）参照）。すなわち、このガイド壁１７は配置部１５の上端から延出する傾斜面を有しており、この傾斜面に沿ってシール部材９０が配置部１５へと案内される構成となっている。
【００６５】
副ケース２０の正面には、図１９（ｅ）に示すように、機器側光ファイバ６２の差込口２２が下向きに開口している。なお、副ケース２０の両側部には、金属製の取付金具８１が装着される。この取付金具８１は、宅内の壁面等に汎用の配線器具取付枠を利用して光コンセントを装着するためのものであり、後述するように配線器具取付枠に適合した寸法形状をしている。
【００６６】
光ファイバアダプタ３０は、幹線側光ファイバ６２の一端と機器側光ファイバの一端とをそれぞれ接続する部品である。本実施形態では、各光ファイバとしてＰＯＦと称するプラスチック製の光ファイバを用いている。かかるプラスチック製の光ファイバは、石英製の光ファイバに比べて曲げに強く、且つ成端加工が容易であるというメリットを有する。
【００６７】
プラスチック製光ファイバの成端加工に適したコネクタは種々の構成のものが市販されているが、本実施形態では、ＳＭＩプラグと称するＰＯＦ用コネクタを用いている。したがって、光ファイバアダプタ３０は、このＳＭＩプラグの接続に適した構成とする。
【００６８】
図２２乃至図２５は、本実施形態に係る光ファイバアダプタ３０の構成を示す図である。
光ファイバアダプタ３０は、幹線側光ファイバ６２の一端に設けられたコネクタ６３が接続される第一の接続部品３６（図２２参照）と、機器側光ファイバの一端に設けられたコネクタ６３が接続される第二の接続部品３７（図２３参照）と、これら各接続部品を一端面を重ね合わせて保持する固定枠３８（図２４参照）とで構成される。
なお、図に示す光ファイバアダプタ３０は、第一の接続部品３６を第二の接続部品に、また第一の接続部品３６を第二の接続部品にすることも可能である。
【００６９】
本実施形態では、市販のＳＭＩ中継光コネクタを改良して、光ファイバアダプタ３０を製作している。上記市販のＳＭＩ中継光コネクタは、図２２（ａ），図２３（ａ）に示すごとく、各接続部品３６，３７の側端縁からフランジ３６ａ，３７ａ（同図のハッチング部分）が延出しており、これらフランジ３６ａ，３７ａをビス止めして各接続部品３６，３７が重ね合わされる構成となっている。
【００７０】
本実施形態の光ファイバアダプタ３０は、上記各接続部品３６，３７のフランジ３６ａ，３７ａを削除して小形化を図り、これにより主ケース１０内へ収納できるようにした。各接続部品３６，３７の重ね合わせは、図２４に示す固定枠３８によって実現している。
固定枠３８は、各接続部品３６，３７の外周面を把持する形状に湾曲形成された薄肉状の金属部品で形成してある。固定枠３８の上面は、中間部が切り欠いてありその内側端縁に、係止爪３８ａが形成してある。また、固定枠３８の側縁には、係合片３８ｂが屈曲形成してある。各接続部品３６，３７の重ね合わされる端面には上部に突条３６ｂ，３７ｂが形成してあり、また各接続部品３６，３７の側面には、縦方向に延びる切欠溝３６ｃ，３７ｃが形成してある。
【００７１】
光ファイバアダプタ３０は、まず各接続部品３６，３７の端面を重ね合わせ、次いで、その重ね合わせ部分に上方から固定枠３８を嵌め込むことで、簡易に組み立てられる（図２５参照）。このとき、固定枠３８の係止爪３８ａが各接続部品の突条３６ｂ，３７ｂに係合し、さらに固定枠３８の係合片３８ｂが各接続部品の切欠溝３６ｃ，３７ｃに係合する。これにより、組立状態が保持される。
【００７２】
上述した固定枠３８には、後述する保持部材５０へ装着するための係合爪部３８ｃが延出して形成してある。
【００７３】
保持部材５０は、図２０（ａ）乃至（ｃ）に示すように、主ケース１０の内側に回動自在に装着される。すなわち、保持部材５０の基端部からは軸受片５７が延出しており、この軸受片５７に長孔５７ａが形成してある。一方、主ケース１０の内部には支軸１８が形成してあり、この支軸１８が長孔５７ａに係合している。これにより、保持部材５０は、支軸１８に対して回動自在であり、さらに長孔５７ａの長さだけスライド可能となっている。
【００７４】
保持部材５０の正面には、図２５（ｅ）に示すように、係止溝部５８が形成してあり、この係止溝部５８に固定枠３８の係合爪部３８ｃが差し込み係止されて、光ファイバアダプタ３０を保持する構成となっている。
【００７５】
また、保持部材５０の上部は湾曲形状に形成されたガイド部５６となっている（図１９（ｄ）参照）。主ケース１０の内部に引き込まれた幹線側光ファイバ６２は、この湾曲したガイド部６２に沿って配置され、これにより同光ファイバ６２の無理な折り曲げが防止される。
【００７６】
保持部材５０の背面部には、主ケース１０の背面に形成したコネクタ６３挿通用の切欠部１６を閉塞するための突出壁部５９（背面蓋部）が形成してある（図２０（ａ）乃至（ｃ）参照）。さらに、保持部材５０には、シール部材９０を主ケース１０の配置部１５へ押圧保持するための押圧部６０が形成してある（図１９（ｄ）参照）。加えて、保持部材５０の側面には、シール部材９０を着脱自在に保持しておく仮保持部６１が突出形成してある（図２０（ａ）参照）。工場出荷時にこの仮保持部６１へシール部材９０を装着しておくことで、微細部品であるシール部材９０の搬送中や現場での紛失を防止することができる。
【００７７】
保持部材５０は、回動動作によって主ケース１０の内側へ嵌め込まれるが、その嵌め込み状態を保持するために、主ケース１０の内部には複数の係合片１３が形成してあり、一方、保持部材５０の側面には、複数の係止爪５５が形成してある。これら係合片１３と係止爪５５との係合によって、保持部材５０は主ケース１０に保持される。
【００７８】
図２６（ａ）乃至（ｃ）は、副ケース２０に装着される取付金具８１を示している。この取付金具８１は、図１９（ａ）に示すように、副ケース２０の両側部に装着される。
すなわち、副ケース２０の両側部には、図２７（ａ）に示すように、横方向に突出した装着部２０ｃが形成してあり、さらにこの装着部２０ｃの両端には、取付金具８１を保持するための係止爪２０ａが形成してある。また、副ケース２０には、所定箇所（図２７では、装着部２０ｃの基端縁における中央部）に位置決め部２０ｂが形成してある。
【００７９】
一方、取付金具８１は、両端部が係合部８１ａとなっている。この係合部８１ａは、例えば、取付金具８１の両端部を断面コ字状に加工して形成することができる。さらに、取付金具８１には、副ケース２０の位置決め部２０ｂと係合する位置決め係合部８１ｂが形成してある。本実施形態では、図２６，図２７に示すように、副ケース２０の位置決め部２０ｂを凸部で形成するとともに、取付金具８１の位置決め係合部８１ｂを凹部で形成し、これら凸部と凹部の係合をもって取付金具８１を位置決めする構成となっている。なお、位置決め部２０ｂを凹部で形成し、位置決め係合部８１ｂを凸部で形成することもできる。
【００８０】
取付金具８１は、副ケース２０の装着部２０ｃへ横方向から嵌め込むだけで、装着部２０ｃの係止爪２０ａが取付金具８１の係合部８１ａを弾力的に係合して装着される。このとき、副ケース２０の位置決め部２０ｂと取付金具８１の位置決め係合部８１ｂが係合して、取付金具８１が適正位置に保持される。
【００８１】
上述した取付金具８１と副ケース２０の構成は、既述した実施形態の光コンセントにも適用できることは勿論である。
【００８２】
なお、本実施形態の光コンセントも、既述した実施形態と同様、主ケース１０と副ケース２０で構成される外部筐体が、スイッチやコンセント等の配線器具が装着される規格化された配線器具取付枠１００に装着可能な寸法形状に形成されている。
そして、取付金具８１は、上記規格化された配線器具取付枠１００に係合する取付部を有しており、この取付部を配線器具取付枠１００に係合させることで、図３に示すように、スイッチやコンセント等の配線器具と同様に、配線器具取付枠１００を介して本実施形態の光コンセント１を宅内の壁面１０１等に施設することができる。
配線器具取付枠１００に係合する取付部は、上記取付金具８１で形成されている。
【００８３】
次に、本実施形態の光コンセントを用いた光ファイバの宅内施工方法について説明する（図２０，図２１参照）。
まず、保持部材５０の仮保持部に装着してあるシール部材９０を取り外し、幹線側光ファイバ６２にその先端から嵌め込む。次いで、幹線側光ファイバ６２の先端に光コネクタ６３を装着して成端処理する。ＰＯＦ用光ファイバの成端処理方法としては、例えば、ホットプレート法が知られている。この方法は、光ファイバの先端を光コネクタ６３の孔に挿入し、先端をカットした後、ホットレートツールと称する加熱工具を用いて、光ファイバの先端を加熱変形させ、光コネクタの先端面に押し当てる方法である。
【００８４】
その後、主ケース１０に形成したコネクタ６３挿通用の切欠部１６を通して、主ケース１０の背面側から内側へ光コネクタ６３を導き入れ、光ファイバアダプタ３０に接続する（図２０（ａ））。続いて、シール部材９０の位置をガイド壁１７と対向するように調整しておき、保持部材５０を、回動操作して主ケース１０の背面側へ嵌め込む。この保持部材５０の回動操作に伴い、シール部材９０がガイド壁１７に案内されて配置部１５へ配置され、さらに、保持部材５０の押圧部６０によってシール部材９０が配置部１５へ押圧保持される（図２０（ｂ）（ｃ））。
この操作をもって、主ケース１０の挿通口１２がシール部材９０により閉塞されるとともに、主ケース１０の切欠部１６に保持部材５０の突出壁部５９が嵌合して当該切欠部１６を閉塞する。また、配置部１５にシール部材９０が押圧保持されることで、幹線側光ファイバ６２の軸方向への自由な移動も規制される。
【００８５】
主ケース１０は、透明プラスチック材料で形成してあるので、配置部１５へのシール部材９０の配置状態を外部から視認することができる。もし、シール部材９０が配置部１５からずれていたような場合は、再度、保持部材５０の上記回動操作をやり直せばよい。
【００８６】
次に、副ケース２０を主ケース１０の正面に装着する（図２１（ａ）（ｂ））。このようにして、光コンセントの施工現場での組立てを簡易に実施することができる。光コンセントは、宅内の壁面に施設した配線器具取付枠へ装着する。
【００８７】
《第４の実施形態》
図２８は本発明の第４の実施形態に係る光コンセントの全体構成を示す図、図２９乃至図３１は組立順序に沿って同光コンセントの構成を示す図である。
なお、本実施形態に係る光コンセントにおいて、先に示した第１乃至第３の実施形態に係る光コンセントと同一部分または相当する部分には、同一符号を付しその部分の詳細な説明は省略することもある。
【００８８】
本実施形態の光コンセントは、主ケース１０、副ケース２０（カバーともいう）、背面ケース２００（背面カバーともいう）、光ファイバジャック２１０（光ファイバ接続部材）、保持部材５０の各部品で主要部が構成されている。このうち、主ケース１０、副ケース２０および背面ケース２００は、光コンセントの外部筐体を構成する部品である。背面ケース２００は、主ケース１０の背面に装着される（図２８参照）。保持部材５０は、主ケース１０の正面側に回動自在に装着してあり、この保持部材５０に光ファイバジャック２１０が装着される（図２９参照）。
【００８９】
本実施形態では、光ファイバ接続部材として、図３２に示す光ファイバジャック２１０を用いている。
光ファイバジャック２１０は、図３２（ｅ）に示すように、ジャック本体２１１の内側に設けたコネクタ接続部２１２に、あらかじめ接続用光ファイバ２１３の一端が接続してあり、この接続用光ファイバ２１３がジャック本体２１１から延出した構成となっている。
本実施形態においても、幹線側光ファイバ６２は、単心線または２心テープ心線を有する光ファイバを用いている。
図３０に示すように、接続用光ファイバ２１３の一端と、幹線側光ファイバの心線の一端とは、熱融着して接続される。さらに、その接続部分は、管状の補強スリーブ２１４を用いて補強するようになっている。
【００９０】
図３２（ａ）（ｂ）は、２本の機器側光ファイバを接続できる２心構造の光ファイバジャックの構成例を示し、同図（ｃ）（ｄ）は、１本の機器側光ファイバを接続できる単心構造の光ファイバジャックの構成例を示している。
図３２（ａ）（ｂ）に示す２心構造の光ファイバジャック２１０は、ジャック本体２１１を２個併設してあり、各ジャック本体２１１からそれぞれ接続用光ファイバ２１３が延出している。２個併設したジャック本体２１１は、固定金具２１５によって連結されている。また、図３２（ｃ）（ｄ）に示す単心構造の光ファイバジャック２１０は、１個のジャック本体２１１から、接続用光ファイバ２１３が延出している。２心構造の光ファイバジャック２１０は、２個のジャック本体２１１を一体形成した構造であってもよいが、図に示す本実施形態では、単心構造の光ファイバジャック２１０と同じジャック本体２１１を用い、これを固定金具２１５で連結する構成とすることで部品の共通化を図り、部品点数の削減を実現している。
【００９１】
固定金具２１５は、例えば、図３２（ｆ）乃至（ｈ）に示すようなＬ字形状の金属板で構成することができる。固定金具２１５の上面には、挟持片２１５ａが切り起こして形成してある。この挟持片２１５ａは、２個のジャック本体２１１を並べて連結して、２心構造の光ファイバジャック２１０を構成するために用いられる。図３２（ａ）に示すように、ジャック本体２１１の上面には、挟持片２１５ａが係合する長溝２１１ａが形成してあり、この長溝２１１ａに挟持片２１５ａを引っ掛けることで、２個のジャック本体２１１が挟持片２１５ａによって挟持されて連結状態が保持される。
【００９２】
また、本実施形態では、固定金具２１５は、後述するように光ファイバジャック２１０を保持部材５０に装着する機能をも有している。このため、単心用の光ファイバジャック２１０にも、ジャック本体２１１に固定金具２１５が取り付けられる（図３２（ｃ）（ｄ）参照）。単心構造の光ファイバジャック２１０へ取り付けるために、固定金具２１５の上面には、把持片２１５ｂが切り起こして形成してある。この把持片２１５ｂによってジャック本体２１１の上面を把持して、固定金具２１５がジャック本体２１１に取り付けられる。
固定金具２１５の上面から屈曲して延びる背面には、保持部材５０へ装着するための係止爪２１５ｃが形成してある。
【００９３】
なお、固定金具２１５は、上述した用途に応じて挟持片２１５ａと把持片２１５ｂのいずれかを選択し、必要のない一方は切断して用いられる。このように固定金具２１５も共通部品とすることで、部品点数の削減を図ることができる。
【００９４】
図３３（ａ）乃至（ｃ）は２心構造の光ファイバジャックを保持部材へ装着した状態を示す図で、図３４（ａ）乃至（ｃ）は単心構造の光ファイバジャックを保持部材へ装着した状態を示す図である。
保持部材５０には、正面に係合スリット５０ａが形成してあり、係合スリット５０ａに固定金具２１５の係止爪２１５ｃを差し込んで係合させることで、光ファイバジャック２１０が保持部材５０に装着される。単身用の光ファイバジャック２１０を保持部材５０に装着する際は、図３４（ｄ）（ｅ）に示すような構成のスペーサ２１６をジャック本体２１１の両脇に装着する。スペーサ２１６の幅は、２心構造の光ファイバジャック２１０の幅に合わせてあり、このスペーサ２１６を装着することで、単心構造の光ファイバジャック２１０の外形が、２心構造のものと同じになり、周辺部品の形状寸法を変えることなく、いずれの光ファイバジャック２１０も同じ条件で保持部材５０に装着が可能となる。
【００９５】
また、保持部材５０の上部は湾曲形状に形成されたガイド部５６となっている。ガイド部５６には、接続用光ファイバ２１３を背面側に案内する複数の案内溝５６ａが形成してあり、光ファイバジャック２１０から延出する接続用光ファイバ２１３は、いずれか適当な案内溝５６ａに沿って配置され、これにより接続用光ファイバ２１３の無理な折り曲げが防止される（図３３（ａ）乃至（ｃ）、図３４（ａ）乃至（ｃ）参照）。
【００９６】
保持部材５０は、図２９に示すように、主ケース１０の内側に回動自在に装着される。すなわち、保持部材５０の基端部からは軸受片５７が延出しており、この軸受片５７に長孔５７ａが形成してある。一方、主ケース１０の内部には支軸１８が形成してあり、この支軸１８が長孔５７ａに係合している。これにより、保持部材５０は、支軸１８に対して回動自在であり、さらに長孔５７ａの長さだけスライド可能となっている。
【００９７】
保持部材５０は、回動動作によって主ケース１０の内側へ嵌め込まれるが、その嵌め込み状態を保持するために、主ケース１０の内部には複数の係合片１３が形成してあり、一方、保持部材５０の側面には、複数の係止爪５５が形成してある。これら係合片１３と係止爪５５との係合によって、保持部材５０は主ケース１０に保持される。
【００９８】
主ケース１０は、正面が開口しており（例えば、図２９（ａ）参照）、この正面開口部１０ａに副ケース２０が装着される（図３０参照）。
主ケース１０の周面には、複数の係止爪１１が形成してあり、一方、副ケース２０の周縁からは複数の係合片２１が延出している。そして、これら係合片２１と係止爪１１との係合によって、主ケース１０に副ケース２０が装着される。
【００９９】
副ケース２０の正面には、図２８（ａ）に示すように、機器側光ファイバ６２の差込口２２が下向きに開口している。なお、副ケース２０の両側部には、第３の実施形態と同じく、図２６に示した金属製の取付金具８１が装着される。この取付金具８１は、宅内の壁面等に汎用の配線器具取付枠を利用して光コンセントを装着するためのものであり、既述したように配線器具取付枠に適合した寸法形状をしている。
【０１００】
主ケース１０の背面壁には、接続用光ファイバ２１３を背面側に導く引出口２２０が形成してある（図２９参照）。この引出口２２０から引き出された接続用光ファイバ２１３の端部が、幹線側光ファイバ６２の一端と接続され、さらにその接続部分が補強スリーブ２１４を用いて補強される。なお、幹線側光ファイバ６２には、接続用光ファイバ２１３と接続される前に、ゴム等の弾力性のある材料で構成された環状のシール部材９０が装着（外嵌）される（図３０参照）
【０１０１】
図３１（ｂ）に示すように、主ケース１０の外側背面部には、互いに接続された接続用光ファイバ２１３と幹線側光ファイバ６２の余長部分を巻き付けて保持するための余長巻き付け部２２１が形成してある。この余長巻き付け部２２１は、２つの円環状の起立壁で構成してあり、その外周に接続用光ファイバ２１３および幹線側光ファイバ６２の余長部分が巻き付けられる。
【０１０２】
また、主ケース１０の外側背面部には、補強スリーブ２１４を収納配置するためのスリーブ収納部２２２が形成してある。このスリーブ収納部２２２は、凹部形状となっておりその側壁にはスリーブ固定具２２３を装着するための蟻溝２２２ａが形成してある。
【０１０３】
スリーブ固定具２２３（スリーブ固定手段）は、図３５（ａ）（ｂ）に示すように、補強スリーブ２１４を弾力的に把持する断面コ字状の凹部２２３ａと、蟻溝２２２ａに嵌め込む嵌合部２２３ｂとを有している。このスリーブ固定具２２３は、スリーブ収納部２２２に装着されて、凹部２２３ａで補強スリーブ２１４を把持する。
【０１０４】
図２８に示すように、背面ケース２００は、主ケース１０の引出口２２０を覆うように、主ケース１０の背面側に装着される。この背面ケース２００には、幹線側光ファイバ６２の挿通口２０１が形成してあり、この挿通口２０１を通して、幹線側光ファイバ６２が主ケース１０の背面側に引き込まれる。さらに、背面ケース２００には、挿通口２０１に連続してその内側にシール部材９０の配置部２０２が形成してある。この配置部２０２は、シール部材９０の外形に合わせた凹部となっている。
主ケース１０の外側背面部にも、背面ケース２００の配置部２０２と対向する位置にシール部材９０の配置部１５が形成してある。この配置部１５もシール部材９０の外形に合わせた凹部となっている。
幹線側光ファイバ６２に装着されたシール部材９０は、主ケース１０の配置部１５に配置され、この状態で背面ケース２００が主ケース１０の背面側に装着される。このとき背面ケース２００の配置部２０２に、シール部材９０が収納される。シール部材９０は、各配置部１５，２０２に囲まれた状態で主ケース１０と背面ケース２００との間に置かれ、背面ケース２００の挿通口２０１を内側から閉塞する。これにより、挿通口２０１からの湿気や塵埃の進入が防止される。
【０１０５】
主ケース１０に形成した配置部１５の近傍位置には、図２９，図３１に示すように、幹線側光ファイバ止め具２０３（幹線側光ファイバ固定手段）が装着される。この幹線側光ファイバ止め具２０３は、図３５（ｃ）（ｄ）に示すようにＵ字形状をした金具で形成してあり、幹線側光ファイバを差し込んで外被を把持して固定できる構造となっている（図３１参照）。
【０１０６】
なお、本実施形態の光コンセントも、既述した実施形態と同様、主ケース１０、副ケース２０および背面ケース２００で構成される外部筐体が、スイッチやコンセント等の配線器具を装着する規格化された配線器具取付枠１００に装着可能な寸法形状に形成されている。
そして、取付金具８１は、上記規格化された配線器具取付枠１００に係合する取付部を有しており、この取付部を配線器具取付枠１００に係合させることで、図３に示すように、スイッチやコンセント等の配線器具と同様に、配線器具取付枠１００を介して本実施形態の光コンセント１を宅内の壁面１０１等に施設することができる。
配線器具取付枠１００に係合する取付部は、上述したように取付金具８１（図２６参照）で形成されている。
【０１０７】
次に、本実施形態の光コンセントを用いた光ファイバの宅内施工方法について説明する（図２９乃至図３１、および図２８参照）。
光ファイバジャック２１０は、工場出荷時にあらかじめ保持部材５０に装着するとともに、接続用光ファイバ２１３を引出口２２０から背面側に通し、さらに保持部材５０を主ケース１０の内側に装着して、副ケース２０を主ケース１０の正面側に装着した状態としておくことが好ましい。また、スリーブ固定具２２３と幹線側光ファイバ止め具２０３も、工場出荷時にあらかじめ主ケース１０に装着しておくことが好ましい。
【０１０８】
施工現場では、まず、幹線側光ファイバ６２を背面ケース２００の挿通口２０１に通すとともに、幹線側光ファイバ６２にシール部材９０をあらかじめ外嵌し、さらに同光ファイバ６２の一端から任意の長さだけ外被を剥ぎとり心線を露出させる（図３０参照）。そして、幹線側光ファイバ６２の心線と、接続用光ファイバ２１３の心線とを熱融着して接続し、さらにその接続部分を補強スリーブ２１４を用いて補強する。補強スリーブ２１４は、各光ファイバ６２，２１３の接続部分に外嵌して配置しておき、専用の工具を用いて熱融着することで、各光ファイバ６２，２１３の接続部分に固定される。
【０１０９】
次いで、幹線側光ファイバ６２と接続用光ファイバ２１３の余長部分を、主ケース１０の余長巻き付け部２２１に巻き付けるとともに、補強スリーブ２１４をスリーブ固定具２２３に差し込んだ状態で主ケース１０のスリーブ収納部２２２に収納配置する。さらに、シール部材９０を主ケース１０の配置部１５へ配置するとともに、幹線側光ファイバ止め具２０３に幹線側光ファイバ６２を差し込んで挟持固定する。幹線側光ファイバ６２を幹線側光ファイバ止め具２０３で固定することにより、シール部材９０が主ケース１０の配置部１５に保持される。
【０１１０】
その後、背面ケース２００を主ケース１０の裏面側に装着して、光コンセントの組立が完了する。このようにして、本実施形態の光コンセントは、施工現場で容易に組立てることができる。組立が完了した光コンセントは、宅内の壁面に施設した配線器具取付枠へ装着する。
【０１１１】
《変形例・応用例》
なお、本発明は上述した実施形態に限定されるものではない。
例えば、幹線側光ファイバの一端は、工場生産時に光ファイバコネクタによって成端処理しておけば、施工現場での作業がきわめて容易になるが、必要に応じて施工現場で成端処理することもできる。この場合、第２の実施形態で用いたシール部材９０には、切込みを設けずに、成端処理されていない幹線側光ファイバの一端から差し込む構成とすることもできる。
【０１１２】
また、図６，図１８に示した光ファイバアダプタ３０や雌型光ファイバコネクタ６５を第３の実施形態に係る光コンセントに適用することもでき、さらに、図２４に示した光ファイバアダプタ３０を第１，第２の実施形態に係る光コンセントに適用することもできる。
【０１１３】
第１係合部を構成する嵌合凸部３２は、図６，図１８に示した光ファイバアダプタ３０や雌型光ファイバコネクタ６５とは別部品として製作し、両面粘着テープ等を用いてこれら光ファイバアダプタ３０や雌型光ファイバコネクタ６５に取り付ける構成としてもよい。このように構成すれば、既存の光ファイバアダプタや雌型光ファイバコネクタにも嵌合凸部３２を設けることができる。嵌合凸部３２を構成する部品には、係止爪３３も併せて形成しておくことが好ましい。
【０１１４】
また、第１乃至第３の実施形態では、雄型光ファイバコネクタを用いて幹線側光ファイバの一端にコネクタを形成したが、これを図１８に示すような雌型光ファイバコネクタ６５により構成することもできる。この場合、雌型光ファイバコネクタを、機器側光ファイバのコネクタを接続するための光ファイバ接続部材として兼用することもできる。
雌型光ファイバコネクタ６５の背面には、嵌合凸部３２と係止爪３３が形成してあり、嵌合凸部３２は保持部材５０の嵌合溝５１に嵌め込まれ、係止爪３３は切欠係合部５２と係合する。このように構成すれば、光ファイバアダプタを省略でき、部品点数が削減される。
【０１１５】
また、第３の実施形態の構成において、主ケース１０の背面に形成した光コネクタ６３を挿通するための切欠部１６を省略することもできる。幹線側光ファイバ６２をあらかじめ挿通口２０１１２に通しておき、その後、同光ファイバの先端を成端処理すれば、上記切欠部１６がなくとも、現場での組立作業に支障はない。
【０１１６】
第４の実施形態の構成においては、図３１（ｂ）に示すように、余長巻き付け部２２１の外周数カ所に、光ファイバの飛出し防止爪２２５を設けることが好ましい。光ファイバ心線は弾力性を有しており、許容される最小曲げ半径に近づくにつれてその弾性力が大きくなり、余長巻き付け部２２１からはみ出し易くなる傾向がある。
そこで、余長巻き付け部２２１と対向してその外周に断面Ｌ字状の飛出し防止爪２２５を設けておけば、この飛出し防止爪２２５に規制されて、余長巻き付け部２２１に巻回された光ファイバの飛出し（はみ出し）を防止することができる。
【０１１７】
さらに、図３６（ａ）（ｂ）に拡大して示すように、飛出し防止爪２２５と対向する余長巻き付け部２２１の周面部位に凹部２２６を形成すれば、余長巻き付け部（溝）２２１の幅と略同一の長さの飛出し防止爪２２５を設けることができ、この凹部２２６から飛出し防止爪２２５の内側へ光ファイバを導いて、容易に余長巻き付け部２２１の周面へ巻回することが可能であり、巻き付け作業中に光ファイバ心線へ多少の張力が加わっても余長巻き付け部の内側壁に沿って最小曲げ半径になった場合でも飛出し防止爪２２５から外れて飛出し（はみ出し）する事がないので余長巻き付けの作業性がいっそう向上する。
【図面の簡単な説明】
【０１１８】
【図１】本発明の第１の実施形態に係る光コンセントの全体構成を示す図であり、（ａ）は正面図、（ｂ）は側面断面図、（ｃ）は背面図である。
【図２】本発明の第１の実施形態に係る光コンセントを分解して示す断面図である。
【図３】（ａ）は本発明の第１の実施形態に係る光コンセントの宅内壁面への施設状況を示す斜視図、（ｂ）は宅内壁面に施設された光コンセントの斜視図である。
【図４】主ケースを示す図で、（ａ）は正面図、（ｂ）は側面図、（ｃ）は底面図、（ｄ）は側面断面図、（ｅ）は背面図である。
【図５】副ケースを示す図で、（ａ）は正面図、（ｂ）は側面図、（ｃ）は底面図、（ｄ）は側面断面図、（ｅ）は背面図である。
【図６】光ファイバアダプタを示す図で、（ａ）は正面図、（ｂ）は平面図、（ｃ）は底面図、（ｄ）は側面断面図、（ｅ）は平面断面図、（ｆ）は側面図、（ｇ）は背面図、（ｈ）は保持部材への装着状態を示す側面断面図、（ｉ）は同じく平面図である。
【図７】光ファイバアダプタ、幹線側光ファイバおよび機器側光ファイバを示す正面図である。
【図８】ガイド部材を示す図で、（ａ）は正面図、（ｂ）は側面図、（ｃ）は背面図である。
【図９】保持部材を示す図で、（ａ）は正面図、（ｂ）は平面図、（ｃ）は側面図、（ｄ）は側面断面図、（ｅ）は嵌合溝を拡大して示す正面図、（ｆ）は同じく平面図である。
【図１０】（ａ）は透明窓の正面図、（ｂ）は同じく底面断面図、（ｃ）は同じく側面図である。（ｄ）は取付金具の正面図、（ｂ）は同じく底面図、（ｆ）同じく側面図である。
【図１１】本発明の第２の実施形態に係る光コンセントの全体構成を示す図であり、（ａ）は正面図、（ｂ）は側面断面図、（ｃ）は対面図、（ｄ）は背面図である。
【図１２】本発明の第２の実施形態に係る光コンセントを分解して示す断面図である。
【図１３】主ケース１０を示す図で、（ａ）は正面図、（ｂ）は側面図、（ｃ）は底面図、（ｄ）は側面断面図、（ｅ）は背面図である。
【図１４】副ケースを示す図で、（ａ）は正面図、（ｂ）は側面図、（ｃ）は底面図、（ｄ）は側面断面図、（ｅ）は背面図である。
【図１５】保持部材を示す図で、（ａ）は正面図、（ｂ）は側面図、（ｃ）は背面図、（ｄ）は平面図である。
【図１６】光ファイバアダプタを示す図で、（ａ）は正面図、（ｂ）は側面図、（ｃ）は平面断面図、（ｄ）は側面断面図、（ｅ）は背面図、（ｆ）は底面図、（ｇ）は保持部材への装着状態を示す底面断面図である。
【図１７】（ａ）は幹線側光ファイバのコネクタを示す正面図、（ｂ）は同じく底面図、（ｃ）はシール部材の正面図、（ｄ）は同じく底面図である。
【図１８】雌型光ファイバコネクタを示す図で、（ａ）は正面図、（ｂ）は側面図、（ｃ）は側面断面図、（ｄ）は背面図、（ｅ）は底面図である。
【図１９】本発明の第３の実施形態に係る光コンセントの全体構成を示す図であり、（ａ）は正面図、（ｂ）は側面図、（ｃ）は背面図、（ｄ）は側面断面図、（ｅ）は底面図である。
【図２０】（ａ）乃至（ｃ）は、図１９に示した光コンセントを、組立順序に沿って示す側面断面図、（ｄ）はシール部材９０の正面図、（ｅ）はシール部材の側面図である。
【図２１】（ａ）（ｂ）は、図２０に続く組立順序に沿って図１９の光コンセントを示す側面断面図である。
【図２２】（ａ）は従来の光ファイバアダプタの第一接続部品を示す左側面図、（ｂ）は第３の実施形態に係る光ファイバアダプタの第一接続部品を示す平面図、（ｃ）は同じく平面断面図、（ｄ）は同じく左側面図、（ｅ）は同じく正面図、（ｆ）は同じく右側面図である。
【図２３】（ａ）は従来の光ファイバアダプタの第二接続部品を示す右側面図、（ｂ）は第３の実施形態に係る光ファイバアダプタの第二接続部品を示す平面図、（ｃ）は同じく平面断面図、（ｄ）は同じく正面図、（ｅ）は同じく右側面図である。
【図２４】（ａ）は第３の実施形態に係る光ファイバアダプタの固定枠を示す平面図、（ｂ）は正面図、（ｃ）は右側面図である。
【図２５】（ａ）は第３の実施形態に係る光ファイバアダプタの平面図、（ｂ）は同じく正面図、（ｃ）は同じく左側面図、（ｄ）は同じく平面断面図、（ｅ）は保持部材への装着状態を示す左側面図である。
【図２６】（ａ）は取付金具の正面図、（ｂ）は同じく底面図、（ｆ）同じく側面図である。
【図２７】（ａ）は副ケースの正面図、（ｂ）は同じく側面図である。
【図２８】本発明の第４の実施形態に係る光コンセントの全体構成を示す図で、（ａ）は側面断面図、（ｂ）は側面図、（ｃ）は背面図である。
【図２９】図２８に示した光コンセントを、組立順序に沿って示す側面断面図である。
【図３０】図２８に示した光コンセントを、組立順序に沿って図２９に続いて示す側面断面図である。
【図３１】図２８に示した光コンセントを、組立順序に沿って図３０に続いて示す図で、（ａ）は側面図、（ｂ）は側断面図である。
【図３２】（ａ）は２心構造の光ファイバジャックを示す平面図、（ｂ）は同じく背面図、（ｃ）は単心構造の光ファイバジャックを示す平面図、（ｄ）は同じく背面図、（ｅ）は光ファイバジャックの側断面図、（ｆ）は固定金具の平面図、（ｇ）は同じく側面図、（ｈ）は同じく背面図、（ｉ）は把持片を切り取った状態を示す固定金具の平面図、（ｊ）は挟持片を切り取った状態を示す平面図である。
【図３３】２心構造の光ファイバジャックを保持部材に装着した状態を示す図で、（ａ）は正面図、（ｂ）は側面図、（ｃ）は平面図である。
【図３４】（ａ）乃至（ｃ）は単心構造の光ファイバジャックを保持部材に装着した状態を示す図で、（ａ）は正面図、（ｂ）は側面図、（ｃ）は平面図である。（ｄ）はスペーサを示す平面図、（ｅ）は同じく背面図である。
【図３５】（ａ）はスリーブ固定具の正面図、（ｂ）は同じく側面図、（ｃ）は幹線側光ファイバ止め具の正面図、（ｃ）は平面図である。
【図３６】本発明の第４の実施形態に対する変形例を示す図である。
【符号の説明】
【０１１９】
１０：主ケース、１１：係止爪、１２：挿通口２０１、１３：係合片、１３ａ：切欠孔、１５：配置部、１６：切欠部、１７：ガイド壁、１８：支軸
２０：副ケース、２０ａ：係止爪、２０ｂ：位置決め部、２０ｃ：装着部、２１：係合片、２１ａ：切欠孔、２２：差込口、
３０：光ファイバアダプタ、３１：コネクタ接続部、３２：嵌合凸部、３３：係止爪、３５：係合脚部、３６：第一の接続部品、３６ｂ：突条、３６ｃ：切欠溝、３７：第二の接続部品、３７ｂ：突条、３７ｃ：切欠溝、３８：固定枠、３８ａ：係止爪、３８ｂ：係合片、３８ｃ：係合爪部
４０：ガイド部材、４１：ガイド本体、４１ａ：ガイド溝、４２：装着軸、
５０：保持部材、５１：嵌合溝、５２：切欠係合部、５３：支持アーム、５４：軸受部、５５：係止爪、５６：ガイド部、５７：軸受片、５７ａ：長孔、５８：係止溝部、５９：突出壁部、６０：押圧部、６１：仮保持部、
６２：幹線側光ファイバ、６３：コネクタ、６５：雌型光ファイバコネクタ、
７０：機器側光ファイバ、７１：コネクタ、
８０：透明窓、８１：取付金具、８１ａ：係合部、８１ｂ：位置決め係合部、
９０：シール部材、９１：切込み、
１００：配線器具取付枠、１０１：壁面、１０２：取付口、１０３：締結具、１０４：化粧プレート
２００：背面ケース、２０１：挿通口、２０２：配置部、２０３：幹線側光ファイバ止め具
２１０：光ファイバジャック、２１１：ジャック本体、２１２：コネクタ接続部、２１４：補強スリーブ、２１５：固定金具、２１５ａ：挟持片、２１５ｂ：把持片、２１５ｃ：係止爪、２１６：スペーサ
２２０：引出口、２２１：余長巻き付け部、２２２：スリーブ収納部、２２２ａ：蟻溝、２２３：スリーブ固定具、２２５：飛出し防止爪、２２６：凹部
【図１】
2006091819.tif 000003
【図２】
2006091819.tif 000004
【図３】
2006091819.tif 000005
【図４】
2006091819.tif 000006
【図５】
2006091819.tif 000007
【図６】
2006091819.tif 000008
【図７】
2006091819.tif 000009
【図８】
2006091819.tif 000010
【図９】
2006091819.tif 000011
【図１０】
2006091819.tif 000012
【図１１】
2006091819.tif 000013
【図１２】
2006091819.tif 000014
【図１３】
2006091819.tif 000015
【図１４】
2006091819.tif 000016
【図１５】
2006091819.tif 000017
【図１６】
2006091819.tif 000018
【図１７】
2006091819.tif 000019
【図１８】
2006091819.tif 000020
【図１９】
2006091819.tif 000021
【図２０】
2006091819.tif 000022
【図２１】
2006091819.tif 000023
【図２２】
2006091819.tif 000024
【図２３】
2006091819.tif 000025
【図２４】
2006091819.tif 000026
【図２５】
2006091819.tif 000027
【図２６】
2006091819.tif 000028
【図２７】
2006091819.tif 000029
【図２８】
2006091819.tif 000030
【図２９】
2006091819.tif 000031
【図３０】
2006091819.tif 000032
【図３１】
2006091819.tif 000033
【図３２】
2006091819.tif 000034
【図３３】
2006091819.tif 000035
【図３４】
2006091819.tif 000036
【図３５】
2006091819.tif 000037
【図３６】
2006091819.tif 000038